(57)【特許請求の範囲】
【請求項１】
カプラーを備える雄側接続部と該カプラーが螺合する雄ネジ部を備えた雌側接続部とが接続され、カプラーの螺合がなされた接続部位を、外側から接続状態を保持する医療用接続保持部材であって、
複数のリブを備え、該カプラーが圧入された際に、該リブにより該カプラーが保持される圧入部と、該雄側接続部においてチューブとの接続を形成するチューブ接続部を嵌め込むことが可能な嵌め込み部とを備え、
該医療用接続保持部材が前方と後方とにそれぞれ開口部を有し、かつ
前方の開口部から後方の開口部にかけてスリットが、開口部が連通するように設けられた
ことを特徴とする医療用接続保持部材。
【請求項２】
前記嵌め込み部が複数の凸部を備え、
前記接続部位が前記医療用接続保持部材に保持された際に、前記チューブ接続部に設けられた突条部が前記凸部間に収められるように、前記凸部が前記嵌め込み部に設けられていることを特徴とする請求項１に記載の医療用接続保持部材。
【請求項３】
前記凸部の頂部が曲面であって、該曲面が、
前記接続部位を前記医療用接続保持部材へ挿入する際に、前記頂部と前記突条部とが接触して、前記突条部を前記凸部間に誘導するように形成された曲面である
ことを特徴とする請求項１または２に記載の医療用接続保持部材。
【請求項４】
複数にリブの頂部により形成される医療用接続保持部材内側空間の内径が前記カプラー外径よりも小さいことを特徴とする請求項１〜３のいずれかに記載の医療用接続保持部材。
【請求項５】
前記接続部位が、
一方のチューブの先端にチューブ接続部を介して設けられた雄テーパー部と、他方のチューブの先端に設けられた雌テーパー部とが嵌合して接続された接続部位であって、
該雄テーパー部の外側に遊嵌状態で設けられたメスネジを有するカプラーと雌テーパー部の外側に設けられた雄ネジ部とが螺合された接続部位である請求項１〜４のいずれかに記載の医療用接続保持部材。
【請求項６】
請求項１〜５のいずれかに記載の医療用接続保持部材と固定部材とを備えた医療用固定補助部品であって、
前記医療用接続保持部材が外周に接続溝を有し、
該固定部材が該接続溝と嵌合するリング部を有する
ことを特徴とする医療用固定補助部品。
【請求項７】
前記医療用接続保持部材が圧入部と嵌め込み部と接続溝とを備え、
該接続溝が、前記医療用接続保持部材の外周であって、該嵌め込み部に対して、前記圧入部の反対側に設けられたことを特徴とする請求項６に記載の医療用固定補助部品。
【請求項８】
一方のチューブと他方のチューブとを接続する接続構造部と、前記接続部の接続状態を保持する医療用接続保持部材と、前記医療用接続保持部材を対象物に取り付けるために固定部材とを備えた医療用接続部材セットであって、前記医療用接続保持部材が請求項１〜５のいずれかに記載の医療用接続部材セット。
【発明の詳細な説明】
【技術分野】
【０００１】
本発明は、輸液や透析などのチューブを含む医療セットの接続部位の接続状態を保持する接続保持部材、その接続保持部材を対象物に固定する接続固定補助部品、並びにチューブ間の接続部位と前記固定補助部品とを含む接続部材セットに関する。具体的には、本発明は、輸液や透析の際に、接続部位のロックカプラーの皮膚への圧迫による患者への痛みや負担を軽減すると共に、ロックカプラーへの直接のテープの張り付け等の作業の医療従事者への負担を軽減し、さらに、患者の体動などによりカプラーのカプラーゆるみを無くし治療の安全性を向上させる固定補助部品とそれを含む医療用具に関する。
【背景技術】
【０００２】
医療器具のジョイント部位の接続で多く用いられている技術として、雌ネジと雄ネジが螺合するネジ型コネクターが多く使用されている。これらネジ型コネクターは、従来、スリップ嵌合のみの接続であったジョイント部位について、安全性向上のために設けられたロック機構である。この様なロック機構としては、例えば、図３に示すような構成の接続構造を用いることができる。この接続構造においては、雄テーパ部７３と雌テーパー部８３とが嵌合し、さらに内側に雌ネジを有するカプラーと雌テーパー部の外周に形成された雄ネジとが螺合して、ロック機構が構成されている。
【０００３】
しかし、上記のような接続構造において、カプラーを直接患者に接触させた時に患者の体動等によってネジ螺合が逆回転、または不意にネジ螺合が逆回転し、カプラーが緩むことで、本来のロック機構の役割を果たせていないことが問題とされている。この問題の解決については、ネジ構造を含むロック機構を覆い、ネジと患者との接触を回避する接続補助部材が提案されている（特許文献1参照）。
【０００４】
【特許文献１】特開2004-329860号公報
【発明の開示】
【発明が解決しようとする課題】
【０００５】
上記特許文献１に記載の接続補助部材は、接続部材の抜けや位置ずれを防止し、さらに作業の実施はしやすい構成となっている。しかしながら、前記接続補助部材は、雄ネジをテープで固定出来る収納部によって覆い被せることで、雄ネジと患者や医療従事者との直接の接触を防ぐのみであり、雄ネジについて確実に固定されていない。よって、患者の体動によって収納部に納まっている雄ネジの位置ずれを確実に防止することは出来ない。そのため、ネジの位置ずれが生じること起因して、患者の体動によりネジの逆回転が生じ、螺合にゆるみが生じることも懸念される。さらに、雄ネジが完全に収納されている為に、接続部位について治療中に観察することは困難であり、接続が不十分で液漏れが生じた場合の発見が遅れる可能性がある。
【０００６】
また、ジョイント部位の接続をネジ型コネクターにすることで、雌ネジ機構を有するカプラーを設ける必要がある。そのため、ジョイント部位は、従来のスリップ部品のみと比較して、少なくともカプラーの大きさ分だけ大きくなる。したがって、透析等で長時間治療を行う場合、カプラーを有するこのジョイント部位を患者に固定するにあたり、カプラーが患者に直接接触した場合には、圧迫による痛みを生じることも考えられる。そのため、上述のネジの位置ずれや「ゆるみ」の防止に加えてカプラーの直接的な接触も防止できることが望ましい。
【０００７】
すなわち、本発明では、患者の体動によって不意にネジが逆回転する事による螺合のゆるみを確実に防ぐことができ、固定補助部材を覆って治療中の接続部の観察が困難となる事を防ぐことを目的とする。
【課題を解決するための手段】
【０００８】
そこで本発明者らは、上記課題を解決するため種々鋭意検討を行った結果、メスネジを有するカプラーと雌テーパー部の外側に設けられた雄ネジ部とが螺合された接続部位を、外側から接続状態を保持する接続保持部材であって、該カプラーが圧入される圧入部とチューブ接続部を嵌め込むことが可能な嵌め込み部とを備え、該接続保持部材が前方と後方とにそれぞれ開口部を有し、かつ前方の開口部から後方の開口部にかけてスリットが、開口部が連通するように設けられたことを特徴とする接続保持部材を用いることにより、螺合のゆるみを確実に防ぐことができ、しかも、接続が不十分で液漏れが生じた場合の発見が容易であって漏れの生じた部位を容易に特定できることを見出し、本発明に至った。すなわち、医療用のセットとしては、一方のチューブと他方のチューブとを接続する接続部と、前記接続部の接続状態を保持する接続保持部材と、前記接続保持部材を対象物に取り付けるために固定部材とを備えた接続部材セットであって、上記の接続保持部材を用いた接続部材セットとすることで、上記課題を解決することができる。
【０００９】
また、本発明者らは、前記接続保持部材と固定部材とを備えた固定補助部品であって、前記接続部材が外周に接続溝を有し、該固定部材が該接続溝と嵌合するリング部を有することを特徴とする固定補助部品をもちいることにより、患者等の固定の対象物に容易に固定することができるために、カプラーの直接的な接触も防止できることをも見出した。
【発明の効果】
【００１０】
本発明の接続保持部材は、螺合のゆるみを確実に防ぐことができ、しかも、接続が不十分で液漏れが生じた場合の発見が容易であって漏れの生じた部位を容易に特定できるので、接続部位を有する医療用セットに好適用いることができる。
【００１１】
さらに、本発明の固定補助部品は、ロックカプラーの取り外しが容易な固定補助部品であり、カプラーが直接患者の皮膚に接触する事を防ぐことができるので、医療現場における作業が簡単で、しかも、患者に対しても痛みを与えることがない。
【発明を実施するための最良の形態】
【００１２】
以下に、図面を参照しつつ本発明の実施態様例について詳述するが、本発明はこれらの図面に記載された、実施態様例に限定されるものではない。
【００１３】
図１は、本発明である接続保持部材についての実施態様例についてであり、図１（ａ）は前記接続保持部材の斜視図である。図１（ｂ）は前方開口部方向から見た場合の正面図である。また、図１（ｃ）は、図１（ｂ）についてのＡ−Ａ断面図である。本発明の接続保持部材は、図２に示すような接続部位の接続状態の保持に好適に用いることができる。
【００１４】
前記接続部位は、例えば、図３に示す様な接続構造を有している。この接続構造は、一方のチューブ７１の先端に設けられたチューブ接続部７２を介して雄テーパ部７３を備えた雄側接続部７４と、他方のチューブ８１の先端に雌側チューブ接続部８２を介して雌テーパー部８３を備えた雌側接続部位８４とが、嵌合された接続部位７を用いることができる。雄側接続部７４において、チューブ接続部７２は、直接チューブと接続され、チューブとの接続が形成されている。雄側接続部７４においては、雄テーパー部の基端に遊嵌状態で係合するカプラー７５が設けられ、カプラー内側には雌ネジ７６が設けられている。前記遊嵌状態はカプラー基端の環状凸部を雄側接続部の周方向に形成された凹部に嵌合させるなど、公知の方法で構成することができる。また雌側接続部８４において、雌テーパー部８３の内側には雌テーパーが設けられ、雌テーパー部８３の外側には雄ネジが設けられている。雄テーパー部７３と雌テーパー部８３とは、液密に嵌合可能なようにテーパーが形成されている。雄テーパー部７３と雌テーパー部８３とが勘合され、さらにカプラー７５の雌ネジと雌テーパ部８３の雄ネジとが螺合することにより、雄テーパー部と雌テーパー部との嵌合がロックされることとなる。なお、雄側接続部７４の雄テーパー部の開口部とチューブ７１の内腔とが連通しており、雌側接続部８４の雌テーパー部の開口部とチューブ８１の内空とが連通しているので、前記接続構造となることで、チューブ７１の内腔とチューブ８１の内腔とは、当然、連通することとなる。なお、テーパーとしては、ルアーテーパーを用いることができる。なお、図３において、雌側接続部８４には取っ手８６が設けられ、雄テーパー部と雌テーパー部とのテーパー接続の解除が容易となっている。
【００１５】
図１の実施態様例においては、本発明の接続保持部材１は、略円筒状の形状をしている。接続保持部材１は、図３に示すカプラーが圧入される圧入部２を備え、チューブ接続部が嵌め込まれる嵌め込み部３を備えている。接続保持部材１は、前方の開口部４と後方の開口部５とを備えている。また、接続保持部材１には、スリット６が軸方向に延びて設けられ、スリット６が前方の開口部４と後方の開口部５とのそれぞれにつながっている。
【００１６】
接続保持部材１は、図２に示した接続部位７を、前方開口部４から接続保持部材１内部に入れて、チューブ接続部７２を嵌め込み部３に嵌め込み、さらにカプラー７５を圧入部２に圧入することにより、図３に示すように、カプラーの螺合が緩むことなく保持することができる。また、スリット６により接続部位７を、看護士や医師が直接目視により観察できるので、液漏れ等の状態や、漏れの発生部位を容易に特定することができる。また、接続保持部材１は、その内側から外側に向かう力によって外周が大きくなることが、スリット６があることにより容易に行うことができる。そのため、接続保持部材１の内径と接続部位７の外径とのサイズがほぼ同じ大きさであっても、接続保持部材が変形容易なために容易にガタつき無しに収納することができる。
【００１７】
また、図１において接続保持部材１は、嵌め込み部３に、複数の凸部を備えている。接続保持部材１が接続部位７を保持した際に、チューブ接続部７２に設けられた突条部７７を、凸部３１と凸部３２との間に納めることができる。チューブ接続部７２が凸部間に納められることにより、接続部位７のチューブ接続部は、接続保持部材に安定して保持されることができる。これにより、接続部位は、チューブ接続部の周回り方向の回転がほとんど無いので、ガタつきも無く、接続保持部材に安定して保持されることができる。
【００１８】
図１の実施態様例においては、嵌め込み部３に複数設けられた凸部は、頂部３１が曲面となっている。このように頂部が曲面を有することにより、チューブ接続部の突条部が頂部と接触しても、曲面により凸部−凸部間へ誘導されることとなるので、接続保持部材１と接続部位７とを組み合わせる際に、凸部間の位置と突条部の位置とを確認することなしに、チューブ接続部を嵌め込み部に嵌め込むことができる。
【００１９】
また、接続保持部材１における圧入部２は複数のリブ２１を備え、カプラー７５が圧入部２に圧入された際に、リブ２１がカプラーと接して保持することができる。リブ２１が液制されていることにより、圧入部へのカプラーの圧入が容易となり、ガタつき無く接続保持部材１が接続部位を保持することができ、リブによりカプラーの回転がより抑制されるので螺合の緩みも生じにくい。カプラーに螺合を容易とするための軸方向の溝又は突条が複数形成されている場合には、リブと溝又は突条とが接するので、カプラーの回転がさらに抑制される。さらに、圧入部内側のリブは、複数にリブの頂部により形成される接続保持部材内側空間の内径が前記カプラー外径よりも小さい事が好ましい。複数にリブの頂部をつないで、仮想の筒状空間を想定し、その筒状空間の径がカプラー外径よりも小さくすることで、カプラーは強固に保持され、しかもスリットを有することで接続保持部材が変形し易いために、接続保持部材の内側に接続部位を納めることも容易である。
【００２０】
また、本発明は、上述の接続保持部材と固定部材とを備えた固定補助部品であって、前記接続部材が外周に接続溝を有し、該固定部材が該接続溝と嵌合するリング部を有する固定補助部品でもある。図４は、本発明の固定補助部品の一実施態様例を示した図である。図４（ａ）は、図４（ｂ）に示す固定補助部品２００を構成する接続保持部材１と固定部材１００との組立斜視図である。固定部材１００は、翼部１０１上にリング部１０２を備えている。リング部１０２の孔についての開口方向の軸Ｘに沿って、接続保持部材１を嵌め込み、接続保持部材１の接続溝９とリング部１０２とを嵌合させている。リング部１０２と接続溝９とは、嵌合構造を形成することが可能な様に、溝の深さ、溝の幅、リング枠の幅やリング厚さが構成されており、互いに嵌め合わせることが可能であれば、特にサイズ等が限定されるものではない。また、固定部材１００には、受け部１０３が形成されており、リング部１０２と接続溝９との嵌合のみならず、受け部１０３によっても接続保持部１が安定の保持されている。受け部１０３は、必ずしも設ける必要はないが、固定補助部品２００を患者等の対象物に固定した際に、対象物に接続保持部材が安定して、固定されるために、設けることが好ましい。また、リング部と接続溝とが嵌合することにより、固定部材１００に接続保持部材１が固定される共に、接続保持部材１のスリットに起因する変形も抑制される。そのため、接続部位を接続保持部に嵌め合わせた後に、リング部１０２と接続溝９とを嵌め合わせることで、接続部位の保持がより強固となる。さらに、接続保持部材の内側に凸となるように接続溝９を設けることで、接続溝の下部に位置する凸部がチューブ接続部の端部７８と接触することとなり、チューブ接続部の外側から嵌め込み部で保持するのに加えて、接続溝による凸構造によってチューブ延設方向経に移動が抑制されるので、接続部位はより安定に保持されることとなる。なお、前記の接続溝の下部に位置する凸部は、チューブとの接続のために径の狭い空間とするために内側へ凸状となった凸部９１であっても良い。
【００２１】
図４（ｂ）は、接続保持部材１と固定部材１００とが組み合わされた状態を示す固定補助部品の斜視図である。接続保持部材に、翼部を有する固定部材を組み合わせることで、単に接続保持部材を患者の皮膚などにテープ等により固定した場合には、接続保持部材の開口部の角や段差などが無いために、透析等で長時間治療を行う場合であっても、翼部の平面が患者に直接接触するので、圧迫による痛みを生じることがない。また、固定補助部品２００は、接続溝が、前記接続保持部材の外周であって、該嵌め込み部に対して前記圧入部の反対側に設けられており、後方の開口部近傍の周方向に設けられているので、固定部材と組み合わせても、リングに着色等されてあった場合でも、スリットから固定部部位の状況を観察する妨げとはならず、接続が不十分で液漏れが生じた場合であっても容易に液漏れを発見することができる。
【００２２】
図５は、本発明の接続部材セットに関し、図１に示す接続保持部材を用いた実施態様例についての斜視図である。接続部材セット３００は、上記接続部位である接続構造部７と、その接続状態を保持する接続保持部材１とが組合わされ、前記接続保持部材が固定部材と組み合わされた接続部材セットである。前記の接続部位、接続保持部材、及び固定部材については、上述の通りである。このような、セットとして用いることにより、本発明の接続部材セットは、接続部位について、患者等の固定の対象物に容易に固定することができるために、患者の体動によって不意にネジが逆回転する事による螺合のゆるみを確実に防ぐことができ、固定補助部材を覆って治療中の接続部の観察が容易である。
【００２３】
前記接続部材セットの使用方法としては、特に、限定されるものではないが、図５の実施態様においては、例えば次のような方法を行うことができる。前記接続部位が接続状態となる前に、チューブ７１の外周上に接続保持部材の内側空間及び固定部材のリング部の孔にチューブ７１を通しておいて、チューブ７１の外周上に接続保持部材及び固定部材を配置しておく。ついで、接続部位を接続状態とした後に、嵌め込み部へのチューブ接続部の嵌め込み、及び／又はカプラーの圧入部への圧入を行って、接続保持部材による接続部位の保持状態を形成する。ついで、固定部のリング部の孔へ接続溝が嵌め込まれるように接続保持部材を挿入して、接続保持部材と固定部材とを組み合わせた状態とする。このようにして、この実施態様例においては、接続部位の保持状態を形成することができるが、上述の様に、スリットが接続保持部材に形成されているために、容易に接続部位を接続保持部材に組み合わせた状態とすることが可能であり、しかも、リング部により、接続保持部材がスリットに起因して、外側に開く状態となることが規制されるので、接続保持部材より強固に保持した状態とすることができる。そのため、接続部位の圧入部によりカプラーの位置が強固に固定され、さらに嵌め込み部によりチューブ接続部の位置も強固に固定されるので、接続部位の螺合状態は強固に固定されることとなる。上記の接続部位の接続構造を医療用器具として用いた場合において、上記の接続部材セットを用いた場合には、容易に組み合わせることができるにもかかわらず、接続状態を強固に保持することが可能であり、しかも接続部位における液漏れ等も容易に発見することができるので、安全性も高い。
【産業上の利用可能性】
【００２４】
本発明の接続保持部材、固定補助部品、及び接続部材セットは、患者の体動によって不意にネジが逆回転する事による螺合のゆるみを確実に防ぐことができ、しかも、固定補助部材を覆って治療中の接続部の観察が困難となる事を防ぐことができるので、輸液や透析などの接続部位が形成される医療用器具セットに良好に用いることができる。
【図面の簡単な説明】
【００２５】
【図１】（ａ）  本発明の接続保持部材における一実施態様例の斜視図。（ｂ）  図１（ａ）の実施態様例における接続保持部材の正面図。（ｃ）  図１（ｂ）におけるＡ−Ａ断面図。
【図２】図１の実施態様例における接続保持部材を用いた際の保持状態を示す斜視図。
【図３】（ａ）  図２の実施態様例における接続部位についての実施態様例についての斜視図。（ｂ）  図３（ａ）の実施態様例における雄側接続部についての斜視図。（ｃ）  図３（ａ）の実施態様例における雌側接続部についての斜視図。
【図４】（ａ）  図１の実施態様例の接続保持部材と、固定部材の一実施態様例とを組み合わせた場合における、本発明の固定補助部品の一実施態様例についての組み立て図。（ｂ）  図４（ａ）の固定補助部品についての組立て状態の斜視図。
【図５】本発明の接続部材セットについての一実施態様例の斜視図。
【符号の説明】
【００２６】
１      接続保持部材
２      圧入部
２１    リブ
３      嵌め込み部
３１、３２  凸部
４      前方の開口部
５      後方の開口部
６      スリット
７      接続部位
７１    チューブ
７２    チューブ接続部
７３    雄テーパ部
７４    雄側接続部
７５    カプラー
７６    雌ネジ
７７    突条部
８１    チューブ
８２    雌側チューブ接続部
８３    雌テーパー部
８４    雌側接続部位
８５    雄ネジ
９      接続溝
１００  固定部材
１０１  翼部
１０２  リング部
１０３  受け部
２００  固定補助部品
３００  接続部材セット
【図１】
0004775038.tif 000002
【図２】
0004775038.tif 000003
【図３】
0004775038.tif 000004
【図４】
0004775038.tif 000005
【図５】
0004775038.tif 000006